(57)【要約】【課題】単位発光領域における一回の表示放電により流れる放電電荷量Ｑｄが、高い発光効率を得るための好適な範囲に設定されたＡＣ型ＰＤＰを提供する。【解決手段】放電空間を挟んで第１および第２基板１１、２２が対向し、第１基板上は、放電ギャップを介して対向する表示電極１４、１５の対によって構成された複数組の表示電極対および表示電極対を覆う誘電体層１２を有し、第２基板上は、表示電極対と直交する方向に延びる複数のデータ電極２２およびデータ電極の上部領域に付設された蛍光体層２７を有する。放電空間内にキセノンを含む放電ガスが封入され、データ電極と表示電極対とが交差する部分の放電空間に各単位発光領域が形成される。放電ガス中のキセノンの圧力が１３．３［ｋＰａ］以上であり、単位発光領域において一回の表示放電により流れる放電電荷量Ｑｄ［Ｃ］が、１０＜Ｑｄ＜４０．０の範囲になるように設定される。【選択図】図４
2008010192.tif 000002
【特許請求の範囲】
【請求項１】
放電空間を挟んで対向する第１および第２基板と、
前記第１基板上に行方向に延在させて配置されるとともに、列方向に併設されて放電ギャップを介して互いに対向する表示電極の対によって構成された複数組の表示電極対と、
前記第１基板上に形成されて前記表示電極対を覆う誘電体層と、
前記第２基板上に列方向に延在させて配置されるとともに行方向に併設された複数のデータ電極と、
前記第２基板における前記データ電極の上部領域に付設された蛍光体層とを備え、
前記放電空間内にキセノンを含む放電ガスが封入され、前記データ電極と前記表示電極対とが交差する部分の前記放電空間にそれぞれ単位発光領域が形成されるプラズマディスプレイパネルにおいて、
前記放電ガス中のキセノンの圧力が１３．３［ｋＰａ］以上であり、
前記単位発光領域において一回の表示放電により流れる放電電荷量Ｑｄ［Ｃ］が、１０＜Ｑｄ＜４０．０の範囲になるように設定されていることを特徴とするＡＣ型プラズマディスプレイパネル。
【請求項２】
前記誘電体層の比誘電率が８以下である請求項１に記載のＡＣ型プラズマディスプレイパネル。
【請求項３】
前記誘電体層の膜厚が５［μｍ］以上である請求項１または２に記載のＡＣ型プラズマディスプレイパネル。
【請求項４】
前記誘電体層の膜厚が５０［μｍ］以下である請求項１〜３のいずれか１項に記載のＡＣ型プラズマディスプレイパネル。
【請求項５】
前記表示電極対を構成する各表示電極の、前記放電ギャップを介して行われる放電に関与する部分の列方向の幅が１５０［μｍ］以下である請求項１〜４のいずれか１項に記載のＡＣ型プラズマディスプレイパネル。
【発明の詳細な説明】
【技術分野】
【０００１】
本発明は、薄型のディスプレイ装置に用いられるＡＣ型プラズマディスプレイパネル関する。
【背景技術】
【０００２】
プラズマディスプレイパネル（Plasma Display Panel、以下ＰＤＰと記載する）は、駆動方法により大別するとＡＣ型とＤＣ型があり、放電形式では面放電型と対向放電型の２種類があるが、高精細化、大画面化および製造の簡便性から、現状では、ＰＤＰの主流は、ＡＣ型で、３電極構造の面放電型のものである。
【０００３】
この面放電型のＰＤＰは、少なくとも前面側が透明な一対の基板が、基板間に放電空間が形成されるように対向配置されるとともに、放電空間を複数に仕切るための隔壁が基板に配置され、かつ隔壁により仕切られた放電空間で放電が発生するように各基板に電極群を配置された構造を有する。さらに、放電により各々赤色、緑色、青色に発光する蛍光体が設けられて、複数の放電セルが構成される。放電により発生する波長の短い真空紫外光によって蛍光体を励起し、赤色、緑色、青色の放電セルからそれぞれ赤色、緑色、青色の可視光を発することによりカラー表示が行われる。
【０００４】
このようなＰＤＰは、液晶パネルに比べて高速の表示が可能であり、視野角が広いこと、大型化が容易であること、自発光型であるため表示品質が高いことなどの理由から注目を集めており、多くの人が集まる場所での表示装置や家庭で大画面の映像を楽しむための表示装置等、各種の用途に使用されている。
【０００５】
ＡＣ面放電型ＰＤＰの前面基板には、帯状の走査電極と維持電極の対が放電ギャップを介して互いに対向するように配置されて、複数組の表示電極対を形成している。走査電極および維持電極は、誘電体層および保護膜で覆われている。背面基板には、走査電極および維持電極と直交する方向に延びるデータ電極が形成され、データ電極上から隔壁の側面にかけて蛍光体層が形成されている。
【０００６】
ＰＤＰを表示駆動する際には、１フィールド期間を複数のサブフィールドに分割し、各放電セルを発光させるサブフィールドの組み合わせを変えることによって階調表示を行う。各サブフィールドは初期化期間、アドレス期間及び維持期間を有する。そして、画像データを表示するために、初期化期間、アドレス期間及び維持期間のそれぞれで異なる信号波形を各電極に印加する。
【０００７】
初期化期間には、例えば、すべての走査電極に正のパルス電圧を印加し、走査電極及び維持電極を覆う誘電体層上の保護膜とデータ電極側の蛍光体層上に必要な壁電荷を蓄積する。アドレス期間には、負の走査パルスを各走査電極に順次印加する走査を行う。所定の放電セルにおいて、走査電極に負の走査パルスが印加されている間に、データ電極に正のデータパルスが印加されると、走査電極とデータ電極との間で放電が起こり、走査電極上の保護膜の表面に壁電荷が形成される。
【０００８】
続く維持期間では、一定の期間、走査電極と維持電極との間に放電を維持するのに十分な電圧を印加する。それにより、走査電極と維持電極との間に放電プラズマが生成され、蛍光体層を励起発光させる。
【０００９】
ところで、このようなＰＤＰを用いたディスプレイ装置においては、ＰＤＰが大型化するに伴い電極に供給する電流量が増加するため、これに応じて消費電力が増大するという問題が発生する。この消費電力を低減し、しかも十分な発光輝度を確保するためには、ＰＤＰの単位発光領域における一回の放電の発光効率を向上させることが有効である。
【００１０】
発光効率を向上させる技術としては、例えば特許文献１には、走査電極及び維持電極の形状や大きさを最適化することが開示されている。また特許文献２には、走査電極及び維持電極を覆う誘電体の材質を最適化することが開示されている。さらに、特許文献３には、放電を生成するための駆動電圧波形を最適化することが開示されている。
【特許文献１】特開２００３−３６７９２号公報
【特許文献２】特開平８−７７９３０号公報
【特許文献３】特開平８−１２４４８５号公報
【発明の開示】
【発明が解決しようとする課題】
【００１１】
上記従来技術における面放電型ＡＣ−ＰＤＰの発光効率を向上させるための方法は、それぞれ単一の要因について最適化するものである。したがって、各々の従来技術により設定される条件だけでは、種々の要因の変化に対して、必ずしも十分に適応できるものとは言えない。
【００１２】
本発明者らの検討結果によれば、単位発光領域における一回の表示放電により流れる放電電荷量Ｑｄ［Ｃ］が、発光効率を決定する重要な要因であることが判った。すなわち、放電電荷量Ｑｄ［Ｃ］が最適になるようにＰＤＰの要素を設定することが、他の要因の変動も緩和して、発光効率を向上させるための有効な対策になり、それにより、高い発光効率を有する装置を容易に実現することが可能である。
【００１３】
したがって本発明は、単位発光領域における一回の表示放電により流れる放電電荷量Ｑｄ［Ｃ］が、高い発光効率を得るための好適な範囲に設定されたＡＣ型ＰＤＰを提供することを目的とする。
【課題を解決するための手段】
【００１４】
本発明のＡＣ型プラズマディスプレイパネルは、放電空間を挟んで対向する第１および第２基板と、前記第１基板上に行方向に延在させて配置されるとともに、列方向に併設されて放電ギャップを介して互いに対向する表示電極の対によって構成された複数組の表示電極対と、前記第１基板上に形成されて前記表示電極対を覆う誘電体層と、前記第２基板上に列方向に延在させて配置されるとともに行方向に併設された複数のデータ電極と、前記第２基板における前記データ電極の上部領域に付設された蛍光体層とを備え、前記放電空間内にキセノンを含む放電ガスが封入され、前記データ電極と前記表示電極対とが交差する部分の前記放電空間にそれぞれ単位発光領域が形成される。
【００１５】
上記課題を解決するために、前記放電ガス中のキセノンの圧力が１３．３［ｋＰａ］以上であり、前記単位発光領域において一回の表示放電により流れる放電電荷量Ｑｄ［Ｃ］が、１０＜Ｑｄ＜４０．０の範囲になるように設定されている。
【発明の効果】
【００１６】
上記構成によれば、キセノンの圧力と、単位発光領域において一回の表示放電により流れる放電電荷量Ｑｄが、所定の範囲に制限される。このように、キセノンの圧力と放電電荷量Ｑｄを制限することにより、キセノン励起原子の生成効率が高まり、高い発光効率を得ることができる。
【発明を実施するための最良の形態】
【００１７】
上記構成の本発明のＡＣ型ＰＤＰにおいて、前記誘電体層の比誘電率が８以下であることが好ましい。
【００１８】
また、前記誘電体層の膜厚が５［μｍ］以上であることが好ましい。
【００１９】
また、前記誘電体層の膜厚が５０［μｍ］以下であることが好ましい。
【００２０】
また、前記表示電極対を構成する各表示電極の、前記放電ギャップを介して行われる放電に関与する部分の列方向の幅が１５０［μｍ］以下であることが好ましい。
【００２１】
以下、本発明の実施形態におけるＡＣ型プラズマディスプレイパネルについて、図面を参照しながら説明する。
【００２２】
図１は、本発明の一実施の形態におけるＰＤＰを、前面基板のユニットと背面基板のユニットとに分離して模式的に示す斜視図である。また、図２（ａ）は、図１に示したＰＤＰを矢印ＶＷの方向から見た放電セル１個分の断面図である。図２（ｂ）は図２（ａ）のＡ−Ａ断面図である。
【００２３】
図１及び図２に示すように、本実施形態のＰＤＰは、第１基板であるガラス製の前面基板１１と第２基板である背面基板２１とを、放電空間２０を挟んで対向させて構成される。前面基板１１の表面（図１では下側）には、走査電極１４と維持電極１５とが交互に配列されている。隣り合う１本の走査電極１４と１本の維持電極１５とで、一対の表示電極を構成し、その表示電極対が多数対配置されている。
【００２４】
走査電極１４は、幅広の透明電極１４ａ、および導電性を高めるために透明電極１４ａに重なるように形成された銀（Ａｇ）等からなる幅狭の金属母線１４ｂにより構成される。同様に、維持電極１５は、幅広の透明電極１５ａと、それに重なるように形成された幅狭の金属母線１５ｂとから構成される。
【００２５】
隣り合う表示電極対の走査電極１４と維持電極１５の間には、ブラックストライプと呼称される帯状の光吸収層１６が設けられている。この光吸収層１６は、隣接する放電セルがそれぞれ発光したときのコントラストを高める効果を有する。また、走査電極１４、維持電極１５及び光吸収層１６を覆うように前面側誘電体層１２が形成され、その上に酸化マグネシウム（ＭｇＯ）等からなる保護膜１３が形成されている。
【００２６】
ガラス製の背面基板２１の上には、複数のデータ電極２２が平行に配置され、その上に背面側誘電体層２３が形成され、更に帯状の縦隔壁２４及び横隔壁２５からなる平面視で格子状の隔壁２６が形成されている。データ電極２２は、走査電極１４及び維持電極１５と直交する方向に延びている。なお、以下の説明において、走査電極１４及び維持電極１５が延びる方向を行方向といい、データ電極２２が延びる方向を列方向という場合がある。
【００２７】
格子状の隔壁２６は、放電空間２０を複数の放電セルごとの空間に区画すると共に、前面基板１１に形成された電極ユニットと背面基板２１に形成された電極ユニットとの間隙寸法、すなわち放電空間２０の高さを規定する機能を有する。隔壁２６を構成する縦隔壁２４は、データ電極２２と平行に延び、隣り合うデータ電極２２とデータ電極２２との中間に位置する。列方向に延びる縦隔壁２４と縦隔壁２４との間の空間を横切って行方向の横隔壁２５が設けられている。したがって、放電空間２０は、縦隔壁２４によって行方向に区画され、更に横隔壁２５によって列方向に区画されている。放電空間２０を構成する複数の放電セルのそれぞれにおいて、データ電極２２と表示電極対１４、１５とが交差している。なお、本実施形態のＰＤＰでは、図１から分かるように、横隔壁２５の高さは縦隔壁２４の高さより少し低くなっている。
【００２８】
データ電極２２を覆う背面側誘電体層２３の表面と隔壁２６の側面には、Ｒ（赤）、Ｇ（緑）、Ｂ（青）３色のいずれかの蛍光体層２７が形成されている。蛍光体の材料としては、一例として、緑色蛍光体には（Ｚｎ1-xＭｎx）2ＳｉＯ4（０．０１≦ｘ≦０．２５）を、青色蛍光体にはＢａ1-xＭｇＡｌ10Ｏ17：Ｅｕx又はＢａ1-x-yＳｒyＭｇＡｌ10Ｏ17：Ｅｕx（０．０３≦ｘ≦０．２０、０．１≦ｙ≦０．５）を、赤色蛍光体にはＹ2(1-x)Ｏ3：Ｅｕ2x又は（Ｙ，Ｇｄ）1-xＢＯ3：Ｅｕx（０．０５≦ｘ≦０．２０）を使用することができる。
【００２９】
前面基板１１及び背面基板２１は、外縁部で封止フリット（図示せず）によって封止され、それらの間の放電空間２０（隔壁２６で区画された複数の放電セル）には放電ガスが封入されている。放電ガスは放電によって紫外線を放射するガスであり、例えばネオン（Ｎｅ）及びキセノン（Ｘｅ）の混合ガスを用いることができる。放電ガスは、例えば、６６．７［ｋＰａ］の圧力で封入されるが、ＰＤＰの仕様に応じて種々に設定され得る。また、放電ガスの混合比や封入圧力は、後述のような範囲に調整される。
【００３０】
本実施の形態は、上記のような構成のＡＣ型ＰＤＰにおいて、封入される放電ガスの条件設定と、画像を表示させるための放電電流の設定の組み合わせについて、特定の範囲に調整することを特徴とする。但し、以下に説明する駆動方法は、基本的には一般的なＡＣ型ＰＤＰの場合と同様である。後述するように、本実施の形態の駆動方法の特徴は、単位発光領域（放電セル）における一回の表示放電により流れる放電電荷量を適切に設定することである。
【００３１】
本実施の形態の駆動方法においても、一般的なＡＣ型ＰＤＰと同様、１フィールド期間を２進法に基づいた発光期間の重みを持った複数のサブフィールドに分割し、発光させるサブフィールドの組み合わせによって階調表示を行う。各サブフィールドは初期化期間、アドレス期間及び維持期間からなる。
【００３２】
図３は、パネルの各電極に印加する１サブフィールド分の駆動波形図の一例である。図３における（Ｘｉ）は、走査電極１４に印加する電圧波形を示す。（Ｙｉ）は、維持電極１５に印加する電圧波形を示す。（Ａｋ）は、データ電極２２に印加する電圧波形を示す。
【００３３】
各サブフィールドの初期化期間では、データ電極（Ａｋ）および維持電極（Ｙｉ）を０（Ｖ）に保持し、走査電極（Ｘｉ）に対して放電開始電圧以下となる電圧Ｖｉ１（Ｖ）から放電開始電圧を超える電圧Ｖｉ２（Ｖ）に向かって緩やかに上昇するランプ電圧を印加する。すると、全ての放電セルにおいて１回目の微弱な初期化放電を起こし、走査電極（Ｘｉ）上に負の壁電圧が蓄えられるとともに維持電極（Ｙｉ）上およびデータ電極（Ａｋ）上に正の壁電圧が蓄えられる。ここで、電極上の壁電圧とは、電極を覆う誘電体層あるいは蛍光体層上に蓄積した壁電荷により生じる電圧を意味する。その後、維持電極（Ｙｉ）を正の電圧Ｖｈ（Ｖ）に保ち、走査電極（Ｘｉ）に電圧Ｖｉ３（Ｖ）から電圧Ｖｉ４（Ｖ）に向かって緩やかに下降するランプ電圧を印加する。すると、全ての放電セルにおいて２回目の微弱な初期化放電を起こし、走査電極（Ｘｉ）上の壁電圧および維持電極（Ｙｉ）上の壁電圧が弱められ、データ電極（Ａｋ）上の壁電圧も書込み動作に適した値に調整される。
【００３４】
続くアドレス期間では、走査電極（Ｘｉ）を一旦Ｖａｂ（Ｖ）に保持する。つぎに、データ電極（Ａｋ）のうち１行目に表示すべき放電セルのデータ電極（Ａｋ）に正の書込みパルス電圧Ｖａ（Ｖ）を印加するとともに、１行目の走査電極（Ｘｉ）に負極性の走査パルス電圧Ｖｓ（Ｖ）を印加する。このときデータ電極（Ａｋ）と走査電極（Ｘｉ）との交差部の電圧は、外部印加電圧（Ｖａ−Ｖｓ）（Ｖ）にデータ電極（Ａｋ）上の壁電圧および走査電極（Ｘｉ）上の壁電圧の大きさが加算されたものとなり、放電開始電圧を超える。そして、データ電極（Ａｋ）と走査電極（Ｘｉ）との間および維持電極（Ｙｉ）と走査電極（Ｘｉ）との間に書込み放電が起こる。この放電セルの走査電極（Ｘｉ）上に正の壁電圧が蓄積され、維持電極（Ｙｉ）上に負の壁電圧が蓄積され、データ電極（Ａｋ）上にも負の壁電圧が蓄積される。このようにして、１行目に表示すべき放電セルで書込み放電を起こして各電極上に壁電圧を蓄積する書込み動作が行われる。一方、正の書込みパルス電圧Ｖａ（Ｖ）が印加されなかったデータ電極（Ａｋ）と走査電極（Ｘｉ）との交差部の電圧は放電開始電圧を超えないので、書込み放電は発生しない。以上の書込み動作をｎ行目の放電セルに至るまで順次行い、アドレス期間が終了する。
【００３５】
続く維持期間では、まず、維持電極（Ｙｉ）を０（Ｖ）に戻し、走査電極（Ｘｉ）に正の維持パルス電圧Ｖｓｕｓ（Ｖ）を印加する。このとき、書込み放電を起こした放電セルにおける走査電極（Ｘｉ）上と維持電極（Ｙｉ）上との間の電圧は、維持パルス電圧Ｖｓｕｓ（Ｖ）に走査電極（Ｘｉ）上および維持電極（Ｙｉ）上の壁電圧の大きさが加算されたものとなり、放電開始電圧を超える。そして、走査電極（Ｘｉ）と維持電極（Ｙｉ）との間に維持放電が起こり、走査電極（Ｘｉ）上に負の壁電圧が蓄積され、維持電極（Ｙｉ）上に正の壁電圧が蓄積される。このときデータ電極（Ａｋ）上にも正の壁電圧が蓄積される。書込み期間において書込み放電が起きなかった放電セルでは維持放電は発生せず、初期化期間の終了時における壁電圧状態が保持される。
【００３６】
続いて、走査電極（Ｘｉ）を０（Ｖ）に戻し、維持電極（Ｙｉ）に正の維持パルス電圧Ｖｓｕｓ（Ｖ）を印加する。すると、維持放電を起こした放電セルでは、維持電極（Ｙｉ）上と走査電極（Ｘｉ）上との間の電圧が放電開始電圧を超えるので、再び維持電極（Ｙｉ）と走査電極（Ｘｉ）との間に維持放電が起こり、維持電極（Ｙｉ）上に負の壁電圧が蓄積され走査電極（Ｘｉ）上に正の壁電圧が蓄積される。以降同様に、走査電極（Ｘｉ）と維持電極（Ｙｉ）とに交互に輝度重みに輝度倍率Ｎを乗じた回数の維持パルスを印加することにより、書込み期間において書込み放電を起こした放電セルで維持放電が継続して行われ、所定の輝度の２値画像を表示する。
【００３７】
続くサブフィールドにおいても、維持パルスの数を除いて上記と同様の動作が繰り返される。
【００３８】
本実施の形態によれば、以上のようなＡＣ型ＰＤＰの維持期間の動作について、実用的に望ましい範囲の発光効率が得られるように、駆動条件を以下のように制御する。すなわち、放電ガス中のキセノンの圧力を１３．３［ｋＰａ］以上とし、かつ、単位発光領域において一回の表示放電により流れる放電電荷量Ｑｄ［Ｃ］が、１０＜Ｑｄ＜４０．０の範囲になるように制御する。そのような範囲が望ましい理由について、図４を参照して説明する。
【００３９】
図４は、単位発光領域における一回の表示放電により流れる放電電荷量Ｑｄ［Ｃ］（横軸）と、発光効率［ｌｍ／Ｗ］（縦軸）の関係を示す。図４における線ａ、ｂ、ｃ、ｄは各々、Ｘｅガス圧力が、６．６７［ｋＰａ］、１３．３［ｋＰａ］、３３．３［ｋＰａ］、および６６．７［ｋＰａ］の場合の放電電荷量と発光効率の関係を示す。
【００４０】
各Ｘｅガス圧力において、放電電荷量Ｑｄが大きくなる程、発光効率が低下する。また、Ｘｅガス圧力が大きくなるほど、発光効率が向上する。図４からは、キセノンの圧力を１３．３［ｋＰａ］以上とし、かつ、放電電荷量Ｑｄを４０．０［Ｃ］以下の範囲に制御すれば、約２．５［ｌｍ／Ｗ］以上の発光効率が得られることが判る。約２．５［ｌｍ／Ｗ］以上の発光効率は、実用上十分に満足できる値である。
【００４１】
このように、放電電荷量Ｑｄを制限することにより高い発光効率が得られる理由は、放電電荷量を制限することでキセノン励起原子の生成効率が高まるためである。ＰＤＰでは、キセノン励起原子から放射される真空紫外線により蛍光体を励起し、可視光を得ている。そのため、キセノン励起原子の生成効率を高めることで発光効率が向上する。
【００４２】
一方、放電電荷量Ｑｄを低下させると、キセノン励起原子の生成量は低下するので、全体の発光量を考慮すると、放電電荷量Ｑｄを維持すべき下限がある。実用的には、放電電荷量Ｑｄは１０．０［Ｃ］以上に維持することが必要である。
【００４３】
ここで、放電電荷量Ｑｄの測定方法について、図５を参照して説明する。図５において、３０はＡＣ型ＰＤＰであり、面積Ｓ［ｍ2］の点灯領域３０ａを有する。点灯領域３０ａにはｎ［個］の放電セルが設けられている。放電セルは、図１〜図３を参照して説明した構成を有する。ＡＣ型ＰＤＰ３０を駆動して点灯させるために、駆動回路３１が接続される。駆動回路３１には、電流計３２を介して直流電圧電源３３が接続されている。ＡＣ型ＰＤＰ３０を点灯させたときに直流電圧電源３３から駆動回路３１に流れる電流を、電流計３２により測定する。
【００４４】
測定に際しては、駆動回路３１により周波数ｆのパルス電圧をＡＣ型ＰＤＰ３０に印加して、各単位発光領域（放電セル）で単位時間当りｆ［回］の平均放電回数でＡＣ型ＰＤＰ３０を点灯させる。走査電極および維持電極のうちの一方をＸ側電極、他方をＹ側電極とすれば、Ｘ側電極およびＹ側電極にはそれぞれ、図６（ａ）、（ｂ）の駆動電圧波形が印加される。放電に伴う発光の波形は図６（ｃ）に示されるとおりである。
【００４５】
放電電荷量Ｑｄと発光効率の関係を求めるために、表示放電が行われていない時に電流計３２に表示される電流量Ｉｏ、および放電開始後の電流量Ｉｄを測定する。測定は次の手順で行う。
（１）駆動回路３１により、周波数ｆのパルス電圧をＡＣ型ＰＤＰ３０に印加する。
（２）ＡＣ型ＰＤＰ３０の放電維持電圧Ｖｓになった時の電流値Ｉｏを計測する。
（３）放電開始電圧Ｖｆ以上のパルス電圧を印加し、ＡＣ型ＰＤＰ３０を点灯させる。なお、初期化放電や書込み放電を用いる場合は、この手順は不要である。
（４）ＡＣ型ＰＤＰ３０の放電維持電圧Ｖｓになった時の電流値Ｉｄ、および輝度Ｂ［ｃｄ／ｍ2］を計測する。（実験では、輝度の計測には、コニカミノルタ社製の輝度計ＣＳ−１０００Ａを用いた。）
以上の手順による測定結果の電流値Ｉｏ、Ｉｄを用いて、放電電荷量Ｑｄを下記の式（１）により計算する。
【００４６】
Ｑｄ＝（Ｉｄ−Ｉｏ）／（ｆ・ｎ）  ・・・（１）
発光効率η［ｌｍ／Ｗ］は、点灯領域３０ａの面積Ｓ［ｍ2］を用いて、下記の式（２）により計算できる。
【００４７】
発光効率η＝（π×Ｂ×Ｓ）／（Ｖｓ×（Ｉｄ−Ｉｏ））  ・・・（２）
放電電荷量Ｑｄを制御する方法は、適宜選択することができるが、以下のように放電キャパシタンスを調整することにより設定する方法は、簡便で安定した結果が得られる。
【００４８】
放電キャパシタンスＣｇ［Ｆ］は、図７に示すように、走査電極１４および維持電極１５と、前面側誘電体層１２により形成される。走査電極１４上の前面側誘電体層１２、および維持電極１５上の前面側誘電体層１２によりそれぞれ形成されるキャパシタンスは２Ｃｇ［Ｆ］は、下記の式（３）により計算することができる。放電空間のキャパシタンスＣｏは、放電時には短絡とみなすことができるので、放電時に走査電極１４と維持電極１５の間に介在するキャパシタンスは、Ｃｇとなる。
【００４９】
２Ｃｇ＝εｒ×ε０×Ａ／ｄ  ・・・（３）
εｒ：前面側誘電体層１２の比誘電率
ε０：真空中の誘電率（８．８５×１０-12［Ｆ／ｍ］）
Ａ  ：片側電極面積（走査電極１４または維持電極１５の面積）
ｄ  ：誘電体膜厚（前面側誘電体層１２の電極上の厚さ）
一方、１回の放電で流れる放電電荷量Ｑｄ［Ｃ］は、下記の式（４）で表される。
【００５０】
Ｑｄ＝２Ｑｇ＝２×Ｃｇ×Ｖｓ  ・・・（４）
例えば、εｒ＝１２、Ａ＝４８×１０-9［ｍ2］、ｄ＝３５［μｍ］＝３５×１０-6［ｍ］とすれば、２Ｃｇ＝０．１５×１０-12［Ｆ］となる。したがって、１回の放電で流れる放電電荷量Ｑｄは、Ｖｓ＝２００Ｖとすれば、Ｑｄ＝２×Ｃｇ×Ｖｓ＝３０×１０ｅ-12［Ｃ］となる。
【００５１】
以上のとおり、放電電荷量Ｑｄは、放電キャパシタンスＣｇを調整することにより、適宜設定可能である。また、放電キャパシタンスＣｇは、前面側誘電体層１２の比誘電率εｒ、片側電極面積Ａ、あるいは誘電体膜厚ｄを調整することにより、適宜設定可能である。ただし、上記計算式は、放電キャパシタンスＣｇの調整方法の一例を示すためのものであり、計算結果は、実験結果から得られる放電電荷量Ｑｄよりも小さくなる。これは、実際の装置では、電極面積よりも広い範囲に漏れ電界が形成されるためであると考えられる。
【００５２】
以上に説明した事項に基づき、キセノンの圧力および放電電荷量Ｑｄと発光効率の関係について測定した実験結果について、以下に説明する。
【００５３】
下記の（表１）に示すように、前面側誘電体層１２の比誘電率εｒ、および誘電体膜厚ｄを調整することにより放電キャパシタンスＣｇを変化させて、Ｎｏ．１〜１９のＰＤＰサンプルを作成した。
【００５４】
【表１】
2008010192.tif 000003
【００５５】
上記（１）〜（４）の手順により、単位時間あたりの平均放電回数ｆを、Ｘ側電極およびＹ側電極を合わせて３０４００回／秒として測定を行った。放電ガスとしてＮｅとＸｅの混合ガスを用い、各サンプルについてＸｅガスの混合比およびＸｅガス圧力を変化させた。測定結果を、図８の（表２）に示す。なお、図４のグラフは、（表２）の測定値に基づいて作成したものである。
【００５６】
本実施の形態において、前面側誘電体層１２の比誘電率εｒは、８以下に設定される。前面側誘電体層１２の比誘電率εｒが小さい程、放電電荷量Ｑｄを小さくするのが容易だからである。従って、他の条件との関係も考慮した上で、比誘電率が最も小さい材料により前面側誘電体層１２を形成する。しかも前面側誘電体層１２の比誘電率εｒを小さくすれば、放電時の無効電流を低い値に抑制することが容易である。すなわち、無効電流としては、図７に示す電極ギャップ間のキャパシタンスＣｐを流れる電流が大きいが、比誘電率εｒが小さければ、キャパシタンスＣｐが小さくなり、無効電流を低減することができるからである。
【００５７】
比誘電率εｒが８以下である亜鉛系誘電体の一例を以下に示す。比誘電率を８以下とするためには、鉛を用いない組成とすればよい。
【００５８】
（亜鉛系誘電体）
ＺｎＯ ：３５〜４５  ｗｔ％
Ｂ2Ｏ3 ：３０〜４０  ｗｔ％
ＳｉＯ2：  ５〜１５  ｗｔ％
Ｋ2Ｏ  ：１０〜１５  ｗｔ％
その他 ：  １〜  ５  ｗｔ％
また、前面側誘電体層１２の膜厚ｄは、５［μｍ］以上、５０［μｍ］以下に設定する。膜厚ｄを５［μｍ］以上にすれば、放電電荷量Ｑｄを小さくすることが容易なる。一方、膜厚ｄを５０［μｍ］より大きくすると、精度を安定させることが困難になり、実用的ではない。
【００５９】
さらに、表示電極対を構成する走査電極１４および維持電極１５の、放電ギャップを介して行われる放電に関与する部分の列方向の幅は、１５０［μｍ］以下にする。それにより、放電電荷量Ｑｄを小さくすることが容易なる。なお、電極の実際の幅で判断するのではなく、実際に放電が起っている（近赤外線の発生領域、もしくはネオンの発光領域から判断される）領域を設定することが重要である。
【産業上の利用可能性】
【００６０】
本発明のＡＣ型プラズマディスプレイパネルは、高い発光効率を得ることが可能で、大型ディスプレイ装置として有用である。
【図面の簡単な説明】
【００６１】
【図１】本発明の実施形態におけるＰＤＰを前面基板ユニットと背面基板ユニットとに分離して模式的に示す斜視図
【図２】（ａ）は図１に示したＰＤＰを矢印ＶＷの方向から見た放電セル１個分の断面図、（ｂ）は、（ａ）のＡ−Ａ断面図
【図３】本発明の実施形態におけるＰＤＰを駆動するための各電極に印加する駆動波形の一例を示す波形図
【図４】ＰＤＰの単位発光領域における一回の表示放電により流れる放電電荷量Ｑｄと、発光効率の関係を示す図
【図５】放電電荷量Ｑｄの測定方法について説明するための模式図
【図６】同測定方法を実施する際の駆動電圧波形図
【図７】ＰＤＰにおける放電キャパシタンスについて説明するための断面図
【図８】キセノンの圧力および放電電荷量Ｑｄと発光効率の関係について測定した実験結果を示す表
【符号の説明】
【００６２】
１１  前面基板（第１基板）
１２  前面側誘電体層
１３  保護膜
１４  走査電極
１４ａ、１５ａ  透明電極
１４ｂ、１５ｂ  金属母線
１５  維持電極
１６  光吸収層
２０  放電空間
２１  背面基板（第２基板）
２２  データ電極
２３  背面側誘電体層
２４  縦隔壁２４
２５  横隔壁
２６  隔壁
２７  蛍光体層
３０  ＡＣ型ＰＤＰ
３０ａ  点灯領域
３１  駆動回路
３２  電流計
３３  直流電圧電源
【図１】
2008010192.tif 000004
【図２】
2008010192.tif 000005
【図３】
2008010192.tif 000006
【図４】
2008010192.tif 000007
【図５】
2008010192.tif 000008
【図６】
2008010192.tif 000009
【図７】
2008010192.tif 000010
【図８】
2008010192.tif 000011